(57)【要約】【課題】熱交換器等の腐食およびスライムの発生を防止することが可能な空気調和機を提供する。【解決手段】熱交換器３と、送風機２と、熱交換器３からのドレン水を受けるドレン水受け皿５と、ドレン水受け皿５内で往復移動可能で、熱交換器３の風上側のドレン水を風下側に送る移動壁９を設けたもので、例えば、ドレン水受け皿５の熱交換器３の風下側にドレン水排出用のドレン穴６ａを設けておけば、移動壁９で、熱交換器３の風上側のドレン水受け皿５内のドレン水を風下側に送って、風下側のドレン水と共に排出することができ、熱交換器３や、それを固定する固定板（図示せず）の下部の腐食およびスライムの発生を防止し、また、熱交換器３の風上側のドレン水受け皿５にドレン水が常時溜まらないので、ドレン水受け皿５の同部分の外郭に貼り付けられる断熱材を廃止することができる。【選択図】図２
2009121750.tif 000002
【特許請求の範囲】
【請求項１】
熱交換器と、送風機と、前記熱交換器からのドレン水を受けるドレン水受け皿と、前記ドレン水受け皿の内部で往復移動可能で、前記熱交換器の風上側のドレン水を、前記熱交換器の風下側に送る移動壁を設けたことを特徴とする空気調和機。
【請求項２】
移動壁を、伸縮自在の伸縮アームを介してアーム駆動装置で往復移動させることを特徴とする請求項１に記載の空気調和機。
【請求項３】
アーム駆動装置を、送風機とドレン水受け皿の間に配置したことを特徴とする請求項２に記載の空気調和機。
【請求項４】
移動壁の前後に、前記移動壁の移動範囲を規制する移動壁停止装置を設けたことを特徴とする請求項１〜３のいずれか１項に記載の空気調和機。
【請求項５】
移動壁を弾性部材で形成したことを特徴とする請求項１〜４のいずれか１項に記載の空気調和機。
【請求項６】
冷房および／又は除湿運転開始後、ある時間間隔で、移動壁を１往復させることを特徴とする請求項１〜５のいずれか１項に記載の空気調和機。
【請求項７】
冷房および／又は除湿運転停止後、移動壁を１往復させることを特徴とする請求項１〜６のいずれか１項に記載の空気調和機。
【請求項８】
熱交換器と、送風機と、前記熱交換器からのドレン水を受けるドレン水受け皿とを備え、前記ドレン水受け皿の前記熱交換器の風上側および風下側に、前記ドレン水を排出するためのドレン排水機構を設けたことを特徴とする空気調和機。
【発明の詳細な説明】
【技術分野】
【０００１】
本発明は、空気調和機に関するものである。
【背景技術】
【０００２】
図５は、従来の空気調和機の一例を示す概略図であり、図６は、図５のＡ−Ａ断面図である。
【０００３】
図５、６において、空気調和機本体１内には、中央のモータ２ｂにより駆動されるファン２ａからなる送風機２や、熱交換器３等が収容され取付けられている。空気は、背面側吸込口１ａから吸い込まれ、送風機２、熱交換器３を通過して前面側吹出口１ｂの方向へ吹き出される。熱交換器３には、冷媒配管４が取付けられるとともに、冷房時の熱交換により生じるドレン水を排出するためのドレン排水機構としてドレン穴６ａが、熱交換器３の風下側のドレン水受け皿５に２箇所設けられ、１箇所にはドレン栓６ｂが、もう１箇所にはドレンホース７がそれぞれ取付けられている。また、熱交換器３は、固定板３ａおよび３ｂに取付けられ、風もれを防ぐためにシール材８が取付けられている。
【０００４】
このため、ドレン水をできるだけ溜めずに排水する目的で、ドレン穴６ａはできるだけ熱交換器３に近い位置に取り付ける構成にしている（例えば、特許文献１参照）。
【特許文献１】特開２００５−１７２３４３号公報
【発明の開示】
【発明が解決しようとする課題】
【０００５】
しかしながら、上記特許文献１に開示されたような従来の空気調和機の技術では、熱交換器３の風上側のドレン水受け皿５に溜まるドレン水（図６の斜線部）を排出することができず、前記ドレン水が、熱交換器３および固定板３ａ、３ｂの下部を浸し、熱交換器３および固定板３ａ、３ｂを腐食し、長期間前記ドレン水が溜まることにより、スライムが発生するという課題を有していた。
【０００６】
本発明は、前記従来の課題を解決するもので、ドレン水の溜まりをなくすとともに熱交換器等の腐食およびスライムの発生を防止することが可能な空気調和機を提供することを目的とする。
【課題を解決するための手段】
【０００７】
前記従来の課題を解決するために、本発明の空気調和機は、熱交換器と、送風機と、前記熱交換器からのドレン水を受けるドレン水受け皿と、前記ドレン水受け皿の内部で往復移動可能で、前記熱交換器の風上側のドレン水を、前記熱交換器の風下側に送る移動壁を設けたもので、例えば、ドレン水受け皿の熱交換器の風下側にドレン水を排出するためのドレン穴を設けておけば、移動壁で、熱交換器の風上側のドレン水受け皿に溜まるドレン水を、風下側に送って、風下側のドレン水と共に排出することができ、熱交換器や、熱交換器を固定する固定板の下部の腐食およびスライムの発生を防止することができる。また、熱交換器の風上側のドレン水受け皿に溜まるドレン水は常時溜まらないため、熱交換器の風上側のドレン水受け皿の外郭に貼り付ける断熱材を廃止することができる。
【０００８】
又、本発明の空気調和機は、熱交換器と、送風機と、前記熱交換器からのドレン水を受けるドレン水受け皿とを備え、前記ドレン水受け皿の前記熱交換器の風上側および風下側に、ドレン水を排出するためのドレン排水機構を設けたもので、安価な構成で、熱交換器の風上側のドレン水受け皿に溜まるドレン水も確実に排出することができ、それによって
、熱交換器および固定板の下部の腐食を防止することができる。
【発明の効果】
【０００９】
本発明の空気調和機は、熱交換器の風上側のドレン水受け皿に溜まるドレン水を排出することができ、熱交換器および固定板の下部の腐食およびスライムの発生を防止することができる。また、熱交換器の風上側のドレン水受け皿外郭に貼り付けられる断熱材を廃止することができる。
【発明を実施するための最良の形態】
【００１０】
第１の発明は、熱交換器と、送風機と、前記熱交換器からのドレン水を受けるドレン水受け皿と、前記ドレン水受け皿の内部で往復移動可能で、前記熱交換器の風上側のドレン水を、前記熱交換器の風下側に送る移動壁を設けたもので、例えば、ドレン水受け皿の熱交換器の風下側にドレン水を排出するためのドレン穴を設けておけば、移動壁で、熱交換器の風上側のドレン水受け皿に溜まるドレン水を、風下側に送って、風下側のドレン水と共に排出することができ、熱交換器や、熱交換器を固定する固定板の下部の腐食およびスライムの発生を防止することができる。また、熱交換器の風上側のドレン水受け皿に溜まるドレン水は常時溜まらないため、熱交換器の風上側のドレン水受け皿の外郭に貼り付ける断熱材を廃止することができる。
【００１１】
第２の発明は、特に、第１の発明の移動壁を、伸縮自在の伸縮アームを介してアーム駆動装置で往復移動させるもので、簡単な機構で移動壁を動かすことができ、しかも伸縮アームをコンパクトに収納することができる。
【００１２】
第３の発明は、特に、第２の発明のアーム駆動装置を、送風機とドレン水受け皿の間に配置したもので、熱交換器を通過する空気の通風抵抗を増大させることなく、アーム駆動装置をコンパクトに配置することができる。
【００１３】
第４の発明は、特に、第１〜３のいずれか一つの発明の移動壁の前後に、前記移動壁の移動範囲を規制する移動壁停止装置を設けたもので、移動壁の移動範囲を規制し、移動壁の停止を制御することができる。
【００１４】
第５の発明は、特に、第１〜４のいずれか一つの発明の移動壁を弾性部材で形成したもので、移動壁とドレン水受け皿底面との摩擦が樹脂製の移動壁より減少するため、熱交換器の風上側のドレン水受け皿に溜まるドレン水をより少ないアーム駆動力で排出することができる。
【００１５】
第６の発明は、特に、第１〜５のいずれか一つの発明の冷房および／又は除湿運転開始後、ある時間間隔で、移動壁を１往復させるもので、熱交換器の風上側のドレン水受け皿に溜まるドレン水を定期的に排出することができ、熱交換器および固定板の下部の腐食を防止することができる。また、熱交換器の風上側のドレン水受け皿に溜まるドレン水が常時溜まらないため、熱交換器の風上側のドレン水受け皿外郭に貼り付けられる断熱材を廃止することができる。
【００１６】
第７の発明は、特に、第１〜６のいずれか一つの発明の冷房および／又は除湿運転停止後、移動壁を１往復させるもので、熱交換器の風上側のドレン水受け皿に溜まるドレン水を完全に排出することができ、熱交換器および固定板の下部の腐食およびスライムの発生を防止することができる。
【００１７】
第８の発明は、熱交換器と、送風機と、前記熱交換器からのドレン水を受けるドレン水受け皿とを備え、前記ドレン水受け皿の前記熱交換器の風上側および風下側に、前記ドレ
ン水を排出するためのドレン排水機構を設けたもので、安価な構成で、熱交換器の風上側のドレン水受け皿に溜まるドレン水も確実に排出することができ、それによって、熱交換器および固定板の下部の腐食を防止することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和機の概略図であり、図２は、図１のＢ−Ｂ断面図である。なお、上記従来の空気調和機と同一部分については同一符号（１〜８）を付してその説明を省略する。
【００２０】
図１および図２において、本実施の形態における空気調和機は、熱交換器３の風上側のドレン水受け皿５の内部に往復移動自在に配され、ゴムやナイロンなどの弾性部材で形成された移動壁９と、移動壁９に取り付けられ伸縮自在の伸縮アーム１０と、伸縮アーム１０を動かすアーム駆動装置１１を設けたもので、簡単な機構で、移動壁９を左右方向に動かすことができ、また、伸縮アーム１０をコンパクトに収納することができるようになっている。
【００２１】
ここで、アーム駆動装置１１を、送風機２とドレン水受け皿５の間に配置することより、熱交換器３を通過する空気の通風抵抗を増大させることなく、アーム駆動装置１１をコンパクトに配置することができる。また、移動壁９の前後に、移動壁９の移動範囲を規制するための移動壁停止装置としてリミットスイッチ１２ａ、１２ｂを設けている。
【００２２】
以下に、本実施の形態における空気調和機のドレン水の排出時の動作、作用を説明する。
【００２３】
空気調和機１のある運転条件およびある停止条件のもとで、アーム駆動装置１１が運転開始し、移動壁９が、図１および図２に示すように矢印方向に移動し、熱交換器３の風上側のドレン水受け皿５に溜まるドレン水を、熱交換器３の風下側に移動させ、移動壁９は、対向する熱交換器３側のリミットスイッチ１２ｂに当たり、停止する。
【００２４】
その後、移動壁９は、図１および図２に示す矢印の反対方向に移動し、アーム駆動装置１１側のリミットスイッチ１２ａに当たって停止し、初期の位置に戻る。
【００２５】
以上の動作により、熱交換器３の風上側のドレン水受け皿５に溜まったドレン水を、風下側に送って、ドレン穴６ａより排出することができる。
【００２６】
また、移動壁９がゴムなどの弾性部材で形成されているので、移動壁９とドレン水受け皿５の底面との摩擦が樹脂製の移動壁９より減少するため、熱交換器３の風上側のドレン水受け皿５に溜まるドレン水をより少ないアーム駆動力で排出することができる。
【００２７】
ここで、冷房および／又は除湿運転開始後、ある時間間隔で移動壁９を１往復させるようにようにすれば、熱交換器３の風上側のドレン水受け皿５に溜まるドレン水を定期的に排出することができ、熱交換器３および固定板３ａおよび３ｂの下部の腐食を防止することができる。また、熱交換器３の風上側のドレン水受け皿５に溜まるドレン水が常時溜まらないため、熱交換器３の風上側のドレン水受け皿５の外郭に貼り付けられる断熱材を廃止することができる。
【００２８】
また、冷房および／又は除湿運転停止後、移動壁９が１往復することにより、熱交換器
３の風上側のドレン水受け皿５に溜まるドレン水を完全に排出することができ、熱交換器３および固定板３ａおよび３ｂの下部の腐食およびスライムの発生を防止することができる。
【００２９】
（実施の形態２）
図３は、本発明の実施の形態２における空気調和機の概略図であり、図４は、図３のＣ−Ｃ断面図である。なお、上記従来の空気調和機と同一部分については同一符号（１〜８）を付してその説明を省略する。
【００３０】
本実施の形態は、図３および図４に示すように、熱交換器３の風上側および風下側の両側に、ドレン排水機構としてのドレン穴６ａを設けたもので、これにより、熱交換器３の風上側のドレン水受け皿５に溜まるドレン水も確実に排出することができ、熱交換器３および固定板３ａおよび３ｂの下部の腐食を防止することが可能となる。また、上記実施の形態１における空気調和機よりも、空気調和機１の材料費、組立工数および製造コストを削減することができる。
【産業上の利用可能性】
【００３１】
以上のように、本発明にかかる空気調和機は、ドレン水の溜まりをなくすとともに熱交換器等の腐食およびスライムの発生を防止することが可能となるので、埋込み形の室内ユニット装置および除湿機等の用途にも適用できる。
【図面の簡単な説明】
【００３２】
【図１】本発明の実施の形態１における空気調和機の概略図
【図２】図１のＢ−Ｂ断面図
【図３】本発明の実施の形態２における空気調和機の概略図
【図４】図３のＣ−Ｃ断面図
【図５】従来の空気調和機の一例を示す概略図
【図６】図５のＡ−Ａ断面図
【符号の説明】
【００３３】
１    空気調和機本体
１ａ  背面側吸込口
１ｂ  前面側吹出口
２  送風機
２ａ  ファン
２ｂ  モータ
３  熱交換器
４  冷媒配管
５  ドレン水受け皿
６ａ  ドレン穴（ドレン排水機構）
６ｂ  ドレン栓
７  ドレンホース
８  シール材
９  移動壁
１０  伸縮アーム
１１  アーム駆動装置
１２  リミットスイッチ（移動壁停止装置）
【図１】
2009121750.tif 000003
【図２】
2009121750.tif 000004
【図３】
2009121750.tif 000005
【図４】
2009121750.tif 000006
【図５】
2009121750.tif 000007
【図６】
2009121750.tif 000008